(57)【要約】【構成】番組予約装置１０は、ＣＰＵ３０を含み、ＣＰＵ３０の予約処理は、放送番組を形成する複数の番組セクションの放送スケジュールを参照して、番組セクション毎に実行する。つまり、所望の放送番組を形成する所望の番組セクションの指定が受付手段によって受け付けられると、所望の放送番組が生放送番組であるか否かが判別手段によって判別される。判別手段の判別結果が否定的であれば、所望の番組セクションの放送予約時間帯を定義する先頭時刻情報および末尾時刻情報が、第１設定手段によって設定される。一方、判別手段の判別結果が肯定的であれば、所望の番組セクションの放送時間帯よりも長い放送時間帯を定義する先頭時刻情報および末尾時刻情報が、第２設定手段によって設定される。【効果】所望の番組セクションを確実に鑑賞することができる。【選択図】図１
2007129292.tif 000002
【特許請求の範囲】
【請求項１】
放送番組を形成する複数の番組セクションの放送スケジュールを参照して番組セクション毎の予約処理を実行する番組予約装置において、
所望の放送番組を形成する所望の番組セクションの指定を受け付ける受付手段、
前記所望の放送番組が生放送番組であるか否かを判別する判別手段、
前記判別手段の判別結果が否定的であるとき前記所望の番組セクションの放送予定時間帯を定義する先頭時刻情報および末尾時刻情報を設定する第１設定手段、
前記判別手段の判別結果が肯定的であるとき前記所望の番組セクションの放送予定時間帯よりも長い時間帯を定義する先頭時刻情報および末尾時刻情報を設定する第２設定手段、および
前記第１設定手段および前記第２設定手段のいずれか一方によって設定された時刻情報に登録処理を施す登録手段を備えることを特徴とする、番組予約装置。
【請求項２】
前記登録手段は、前記第２設定手段によって設定された時刻情報によって定義される時間帯が予約済時間帯と重複するか否かを判別する重複判別手段、前記重複判別手段の判別結果が肯定的であるとき前記第２設定手段によって設定された時刻情報を修正する修正手段、および前記修正手段によって修正された時刻情報によって定義される時間帯を前記予約済時間帯として確定させる確定手段を含む、請求項１記載の番組予約装置。
【請求項３】
前記修正手段によって修正された時刻情報によって定義される時間帯は前記所望の番組セクションの放送予定時間帯と一致する、請求項２記載の番組予約装置。
【請求項４】
前記放送スケジュールを含む番組情報を受信する受信手段をさらに備える、請求項１または２記載の番組予約装置。
【請求項５】
前記予約処理を施された番組セクションを記録媒体に記録する記録手段をさらに備える、請求項１ないし４のいずれかに記載の番組予約装置。
【請求項６】
放送番組を形成する複数の番組セクションの放送スケジュールを参照して番組セクション毎の予約処理を実行する番組予約装置のプロセサによって実行される番組予約プログラムであって、
所望の放送番組を形成する所望の番組セクションの指定を受け付ける受付ステップ、
前記所望の放送番組が生放送番組であるか否かを判別する判別ステップ、
前記判別ステップの判別結果が否定的であるとき前記所望の番組セクションの放送予定時間帯を定義する先頭時刻情報および末尾時刻情報を設定する第１設定ステップ、
前記判別ステップの判別結果が肯定的であるとき前記所望の番組セクションの放送予定時間帯よりも長い時間帯を定義する先頭時刻情報および末尾時刻情報を設定する第２設定ステップ、および
前記第１設定ステップおよび前記第２設定ステップのいずれか一方によって設定された時刻情報に登録処理を施す登録ステップを実行することを特徴とする、番組予約プログラム。
【発明の詳細な説明】
【技術分野】
【０００１】
この発明は、番組予約装置に関し、特にたとえば、放送番組を記録するＶＴＲ，ＤＶＤレコーダ，ＨＤＤレコーダおよび通信端末などに適用され、放送番組を形成する複数の番組セクション（コーナ）の放送スケジュールを参照して番組セクション毎の予約処理を実行するための、番組予約装置に関する。
【背景技術】
【０００２】
従来のこの種の装置の一例が、特許文献１に開示されている。この従来技術によれば、第１時刻から第２時刻までの間に或るコンテンツの送信が予定されている。第１時刻に先立って当該コンテンツの記録予約が設定されると、記録開始手段がそのコンテンツの送信開始予定時刻である第１時刻に、記録動作を開始し、記録終了手段が第２時刻よりも遅い第３時刻に記録動作を終了する。
【特許文献１】特開２００３−１７４６１３号公報[G11B 20/10, H04N 5/761]
【発明の開示】
【発明が解決しようとする課題】
【０００３】
しかし、従来技術によれば、所望のコンテンツの番組を録画することはできるが、番組セクションを録画することができない。さらに、番組セクションの放送スケジュールの正確性は、収録済み放送番組と生放送番組とで異なる。つまり、生放送番組を形成する番組セクションの放送スケジュールの正確性は、収録済み番組を形成する番組セクションの放送スケジュールの正確性よりも低い。
【０００４】
それゆえに、この発明の主たる目的は、所望の番組セクションを確実に鑑賞することができる、番組予約装置を提供することである。
【課題を解決するための手段】
【０００５】
請求項１の発明に従う番組予約装置(10)は、放送番組を形成する複数の番組セクションの放送スケジュールを参照して番組セクション毎の予約処理を実行する番組予約装置において、所望の放送番組を形成する所望の番組セクションの指定を受け付ける受付手段(S19)、所望の放送番組が生放送番組であるか否かを判別する判別手段(S53)、判別手段の判別結果が否定的であるとき所望の番組セクションの放送予定時間帯を定義する先頭時刻情報および末尾時刻情報を設定する第１設定手段(S55)、第１判別手段の判別結果が肯定的であるとき所望の番組セクションの放送予定時間帯よりも長い時間帯を定義する先頭時刻情報および末尾時刻情報を設定する第２設定手段(S63)、および第１設定手段および第２設定手段のいずれか一方によって設定された時刻情報に登録処理を施す登録手段(S65,S67,S69,S73)を備えることを特徴とする。
【０００６】
予約処理は、放送番組を形成する複数の番組セクションの放送スケジュールを参照して、番組セクション毎に実行される。つまり、所望の放送番組を形成する所望の番組セクションの指定が受付手段によって受け付けられると、所望の放送番組が生放送番組であるか否かが判別手段によって判別される。判別手段の判別結果が否定的であれば、所望の番組セクションの放送予約時間帯を定義する先頭時刻情報および末尾時刻情報が、第１設定手段によって設定される。一方、判別手段の判別結果が肯定的であれば、所望の番組セクションの放送時間帯よりも長い放送時間帯を定義する先頭時刻情報および末尾時刻情報が、第２設定手段によって設定される。登録手段は、第１設定手段および第２設定手段のいずれか一方によって設定された時刻情報に登録処理を施す。
【０００７】
番組セクションの放送スケジュールの正確性は、収録済み放送番組と生放送番組とで異なる。つまり、生放送番組を形成する番組セクションの放送スケジュールの正確性は、収録済み番組を形成する番組セクションの放送スケジュールの正確性よりも低い。そこで、請求項１の発明では、収録済み放送番組を形成する番組セクションに注目するときは、この番組セクションの放送予定時間帯を定義する先頭時刻情報および末尾時刻情報を設定する一方、生放送番組を形成する番組セクションに注目するときは、この番組セクションの放送予定時間帯よりも長い時間帯を定義する先頭時刻情報および末尾時刻情報を設定するようにしている。これによって、所望の番組セクションを確実に鑑賞することができる。
【０００８】
請求項２の発明に従う番組予約装置は、請求項１に従属し、登録手段は、第２設定手段によって設定された時刻情報によって定義される時間帯が予約済時間帯と重複するか否かを判別する重複判別手段(S65)、重複判別手段の判別結果が肯定的であるとき第２設定手段によって設定された時刻情報を修正する修正手段(S67)、および修正手段によって修正された時刻情報によって定義される時間帯を予約済時間帯として確定させる確定手段(S73)を含む。これによって、所望の生放送番組を形成する番組セクションを鑑賞する可能性が向上する。
【０００９】
請求項３の発明に従う番組予約装置は、請求項２に従属し、修正手段によって修正された時刻情報によって定義される時間帯は所望の番組セクションの放送予定時間帯と一致する。
【００１０】
請求項４の発明に従う番組予約装置は、請求項１または２に従属し、放送スケジュールを含む番組情報を受信する受信手段(14)をさらに備える。
【００１１】
請求項５の発明に従う番組予約装置(10)は、請求項１または４に従属し、予約処理を施された番組セクションを記録媒体に記録する記録手段(34)をさらに備える。
【００１２】
請求項６の発明に従う番組予約プログラムは、放送番組を形成する複数の番組セクションの放送スケジュールを参照して番組セクション毎の予約処理を実行する番組予約装置のプロセサ(30)によって実行される番組予約プログラムであって、所望の放送番組を形成する所望の番組セクションの指定を受け付ける受付ステップ(S19)、所望の放送番組が生放送番組であるか否かを判別する判別ステップ(S53)、判別手段の判別結果が否定的であるとき所望の番組セクションの放送予定時間帯を定義する先頭時刻情報および末尾時刻情報を設定する第１設定ステップ(S55)、判別手段の判別結果が肯定的であるとき所望の番組セクションの放送予定時間帯よりも長い時間帯を定義する先頭時刻情報および末尾時刻情報を設定する第２設定ステップ(S63)、および第１設定ステップおよび第２設定ステップのいずれか一方によって設定された時刻情報に登録処理を施す登録ステップ(S65,S67,S69,S73)を実行することを特徴とする。
【００１３】
請求項１と同様、収録済み放送番組を形成する番組セクションに注目するときは、この番組セクションの放送予定時間帯を定義する先頭時刻情報および末尾時刻情報を設定する一方、生放送番組を形成する番組セクションに注目するときは、この番組セクションの放送予定時間帯よりも長い時間帯を定義する先頭時刻情報および末尾時刻情報を設定するようにしている。これによって、所望の番組セクションを確実に鑑賞することができる。
【発明の効果】
【００１４】
この発明によれば、収録済み放送番組を形成する番組セクションに注目するときは、この番組セクションの放送予定時間帯を定義する先頭時刻情報および末尾時刻情報を設定する一方、生放送番組を形成する番組セクションに注目するときは、この番組セクションの放送予定時間帯よりも長い時間帯を定義する先頭時刻情報および末尾時刻情報を設定するようにしている。これによって、所望の番組セクションを確実に鑑賞することができる。
【００１５】
この発明の上述の目的，その他の目的，特徴および利点は、図面を参照して行う以下の実施例の詳細な説明から一層明らかとなろう。
【発明を実施するための最良の形態】
【００１６】
図１を参照して、この実施例の番組予約装置１０は、図１はこの発明の背景となる番組予約装置１０を示し、この図１に示す番組予約装置１０は、図示しない放送局から配信される高周波信号を捕らえるアンテナ１２を含む。アンテナ１２によって捉えられたディジタルテレビ放送の高周波信号はチューナ１４に与えられ、チューナ１４はＣＰＵ３０から与えられる命令に基づいてアンテナ１２から与えられた高周波信号をベースバンド信号に変換する。こうして変換されたベースバンド信号は、ＯＦＤＭ復調回路１６によってＴＳ（Transport Stream）に変換される。デマルチプレクサ１８は、こうして得られたＴＳからＰＥＳ（Packetized Elementary Stream）を抽出し、抽出されたＰＥＳをＭＰＥＧデコーダ２０に出力する。ＭＰＥＧデコーダ２０は、ＰＥＳをデコードし、これによって得られた番組映像データを加算器２２を介してＮＴＳＣ(National Television Standards Committee)エンコーダ２４に与えられる。ＮＴＳＣエンコーダ２４は、与えられた番組映像データを図示しないモニタに向けて出力する。この結果、受信中の番組の視聴が可能となる。
【００１７】
なお、リモコン４２によって別のチャネルを選択する操作つまり選局操作が行われると、ＣＰＵ３０は、この選局操作に従うチャネルを選局すべき命令つまり選局命令をチューナ１４に向けて発行する。この結果、新たに選局されたチャネルの番組がモニタによって視聴可能となる。
【００１８】
番組予約装置１０は、ＤＲＡＭ３８を有する。図２によれば、ＤＲＡＭ３８は、ＥＰＧエリア３８ａ，予約テーブルエリア３８ｂ，およびＯＳＤ描画エリア３８ｃを有する。ＥＰＧエリア３８ａには、放送局から配信される電子番組表（以下、ＥＰＧ（Electronic Program Guide））が書き込まれ、予約テーブルエリア３８ｂには、予約テーブルＲＴが書き込まれ、そしてＯＳＤ描画エリア３８ｃには、テキストコードから変換されたキャラクタデータが書き込まれる。なお、予約テーブルＲＴは、後述で詳しく説明する。
【００１９】
図１に戻って、ＥＰＧをＴＶモニタに出力すべくＥＰＧ出力操作がリモコン４２によって行われると、ＭＰＥＧデコーダ２０はＰＥＳをデコードし、これによって得られたＥＰＧをバス２８を通してＨＤＤ３４に一旦蓄える。メモリコントローラ３６はＨＤＤ３４からＥＰＧを読み出し、読み出されたＥＰＧはＥＰＧエリア３８ａに書き込まれる。なお、ＥＰＧには、チャネル番号，番組名，スケジュールなどが含まれ、数日先まで表示することができる。また、時刻は、タイマ３２によって調整される。
【００２０】
ＣＰＵ３０は、ＥＰＧエリア３８ａに書き込まれたＥＰＧから番組のテキストコードを抽出する。これによって得られたテキストコードは、ＨＤＤ３４に格納されたテキストコード表を利用してキャラクタデータに変換される。変換されたキャラクタデータは、メモリコントローラ３６によってＯＳＤ描画エリア３８ｄに書き込まれる。ＣＰＵ３０はまた、キャラクタジェネレータ２６を起動させる。キャラクタジェネレータ２６は、ＯＳＤ描画エリア３８ｄからキャラクタデータを読み出し、キャラクタデータを加算器２２を通してＮＴＳＣエンコーダ２４に与える。ＮＴＳＣエンコーダ２４は、入力されたキャラクタデータをＴＶモニタに出力する。この結果、図３に示すような番組情報がＴＶモニタに表示される。
【００２１】
ＥＰＧがＴＶモニタに表示された状態でカーソルＣ上の番組を予約する操作つまり番組予約操作が行われると、図４に示すような予約ウィンドＷ１がＴＶモニタに出力される。なお、予約は、視聴予約と録画予約とを含む。
【００２２】
具体的には、リモコン４２に形成された図示しない決定ボタンを押下すると、予約ウィンドＷ１を表示すべき通知がＣＰＵ３０に与えられる。ＣＰＵ３０はＨＤＤ３４に格納された予約ウィンドＷ１のキャラクタデータを読み出し、読み出されたキャラクタデータはメモリコントローラ３６によってＯＳＤ描画エリア３８ｃに書き込まれる。ＣＰＵ３０はまた、キャラクタジェネレータ２６を起動させる。キャラクタジェネレータ２６は、ＯＳＤ描画エリア３８ｄに更新されたキャラクタデータを読み出し、キャラクタデータを加算器２２を通してＮＴＳＣエンコーダ２４に与える。更新されたキャラクタデータは、ＮＴＳＣエンコーダ２４によってＴＶモニタに出力される。
【００２３】
番組予約操作の後に、ＣＰＵ３０はＨＤＤ３４に格納された予約テーブルＲＴを読み出し、メモリコントローラ３６は予約テーブルＲＴを予約テーブルエリア３８ｂに書き込む。ＣＰＵ３０は続けて、番組予約処理を実行し、所望の番組が予約可能であるか否か判別する。所望の番組が予約可能であれば、予約テーブルＲＴ（図５参照）に所望の番組が登録される。こうして、番組予約が行われる。
【００２４】
予約テーブルＲＴには、番組予約操作によって予約された番組が図５に示すように書き込まれる。予約テーブルＲＴのカラムには、インデックス，チャネル，番組名，セクション（コーナ）名，開始時刻および終了時刻が形成される。番組予約操作が行われると、予約可能な所望の番組が予約テーブルＲＴのローに新しく登録される。
【００２５】
一方、番組予約操作の後に、所望の番組が予約不可能であるとＣＰＵ３０によって判別されると、図６に示すような予約不可ウィンドＷ２がＴＶモニタに出力される。具体的には、ＣＰＵ３０は、所望の番組の時刻情報と予約テーブルＲＴに登録された番組の放送時間帯との比較結果に基づいて所望の番組が予約不可能であると判別し、ＨＤＤ３４から予約不可ウィンドＷ２のキャラクタデータを読み出す。読み出されたキャラクタデータは、メモリコントローラ３６によってＯＳＤ描画エリア３８ｃに書き込まれる。ＣＰＵ３０によって起動されたキャラクタジェネレータ２６は、ＯＳＤ描画エリア３８ｃに更新されたキャラクタデータを読み出し、キャラクタデータを加算器２２を通してＮＴＳＣエンコーダ２４に与える。更新されたキャラクタデータは、ＮＴＳＣエンコーダ２４によってＴＶモニタに出力される。
【００２６】
ＥＰＧがＴＶモニタに表示された状態でカーソルＣ上の番組セクションを予約する操作つまりセクション予約操作が行われると、図７に示すようなセクションビューがＴＶモニタに出力される。具体的には、ＣＰＵ３０は、ＨＤＤ３４に蓄えられたＥＰＧを参照して番組セクションのテキストコードを抽出する。これによって得られた番組セクションのテキストコードは、上述と同様の処理が施される。この結果、図７に示すようなセクション情報がＴＶモニタに表示される。
【００２７】
ここで、放送番組を形成する複数の番組セクションは図示しない放送局から配信される放送スケジュールによって構成され、このように構成された番組セクションの各々がＥＰＧとしてＨＤＤ３４に蓄えられる。番組セクション毎の予約が可能とるなることで、所望の番組をすべて予約することなく、所望の番組セクションに注目する予約が可能となる。
【００２８】
また、視聴対象が番組セクションに限定されることによって、他の番組セクションを視聴することが可能となる。具体的には、チャネル０８２で放送される番組Ｙの番組セクション１（１０：１０〜１０：２８）を予約すると、空き時間帯（１０：２９〜１１：００）が生まれる。この空き時間帯には、チャネル０８１で放送される番組Ｎの番組セクション２（１０：３１〜１０：４５）が予約される。つまり、所望の番組の放送時間帯に放送される他の番組の番組セクションの予約が可能となる。
【００２９】
所望の番組セクションが収録済み番組によって形成される番組セクションである場合、番組の各々のセクション情報には、確定された放送予定時間帯がＥＰＧに登録されている。一方、所望の番組が生放送番組によって形成される番組セクションである場合、番組の各々のセクション情報には、正確性の低い放送予定時間帯がＥＰＧに登録されている。
【００３０】
ＥＰＧがＴＶモニタに表示された状態でセクション予約操作が行われると、所望の番組が生放送である場合、図８に示すようなセクションビューがＴＶモニタに出力される。具体的には、ＣＰＵ３０は、ＨＤＤ３４に蓄えられたＥＰＧから番組セクションのテキストコードを抽出する。これによって得られた番組セクションのテキストコードは、上述と同様の処理が施される。この結果、図８に示すようなセクション情報がＴＶモニタに表示される。
【００３１】
生放送の番組セクションが連続するとき、連続する番組セクションの区切り目はセクション予約操作が行われた時点では不確定である。このため、連続する番組セクションのうち前半の番組セクションの終了時刻と連続する番組セクションのうち広範の番組セクションの開始時刻とに余裕を持たせる。具体的には、セクション２の一番早い終了時刻は１０：４０であり、セクション２の一番遅い終了時刻は１０：４３である。一方、セクション３の一番早い開始時刻は１０：４０であり、セクション３の一番遅い終了時刻は１０：４３である。この結果、セクション２の終了時刻には、３分の余裕が生まれ、セクション３の開始時刻には、３分の余裕が生まれる。このように、生放送の番組セクションの開始時刻および終了時刻が予約テーブルＲＴに登録されることによって、抜けのない番組セクションを予約することができる。
【００３２】
生放送の番組セクション上にカーソルＣがあるときにセクション予約操作が行われると、この番組セクションの開始時刻は予定された開始時間帯のうち一番早い時刻情報として設定され、この番組セクションの終了時刻は予定された終了時間帯のうち一番遅い時刻情報として設定される。
【００３３】
ここで、番組セクションの放送スケジュールの正確性は、収録済み放送番組と生放送番組とで異なる。つまり、生放送番組を形成する番組セクションの放送スケジュールの正確性は、収録済み番組を形成する番組セクションの放送スケジュールの正確性よりも低い。そこで、生放送番組によって形成された番組セクションに注目するときには、この番組セクションの放送予定時間帯よりも長い時間帯を定義する開始時刻および終了時刻が設定される。これによって、所望の番組セクションを確実に視聴することができる。
【００３４】
また、長い時間帯を定義する時刻情報が予約テーブルＲＴに登録された予約済みの放送時間帯（以下、予約済時間帯）と重複する場合、この番組セクションの開始時刻は予定された放送時間帯のうち一番遅い時刻情報として設定され、このセクションの終了時刻は予定された放送時間帯のうち一番遅い時刻情報として設定される。生放送番組によって形成される番組セクションの放送予定時間帯が定まっていない。予約すべき時刻情報がこのような放送予定時間帯の最小時間帯にまで短縮された時間帯に修正されることによって、生放送番組の番組セクションを視聴する可能性が向上する。
【００３５】
リモコン４２によるＥＰＧ操作が行われると、ＣＰＵ３０は、具体的には図９〜図１２に示すフロー図に従う処理を行う。なお、このフロー図に対応するプログラムは、ＨＤＤ３４に記録される。
【００３６】
図９を参照して、ステップＳ１でＥＰＧ操作が行われたか否かを判別する。ＥＰＧ操作が行われると、ステップＳ３でＴＶモニタにＥＰＧを表示する命令を発行し、ステップＳ５でカーソルＣを表示する命令を発行する。この結果、図３に示すようなＥＰＧがＴＶモニタに表示される。
【００３７】
ステップＳ７では、リモコン４２に形成された図示しない決定ボタンが押下されたか否かを判別する。決定ボタンが押下されると、ステップＳ１３でカーソルＣ上の番組の番組予約処理を実行し、決定ボタンが押下されなければ、ステップＳ９でリモコン４２に形成された図示しないセクションキーが押下されたか否かを判別する。セクションキーが押下されると、ステップＳ１５でセクションを表示する命令を発行し、その後ステップＳ１７でカーソルＣを表示させる命令を発行し、ステップＳ１９に進む。この結果、図７に示すようなセクションビューがＴＶモニタに表示される。
【００３８】
一方、セクションキーが押下されなければ、ステップＳ１１でリモコン４２に形成された図示しないカーソルキーが操作されたか否かを判別する。カーソルキーが操作されると、ステップＳ２１でカーソルキーに従うカーソル移動を実行し、カーソルキーが操作されなければ、ステップＳ２３でその他の処理を行う。
【００３９】
ステップＳ１９では、先述した決定ボタンが押下されたか否かを判別する。決定ボタンが押下されると、ステップＳ２９でセクション予約処理を実行し、決定ボタンが押下されなければ、ステップＳ２５でリモコン４２に形成された図示しない終了ボタンが押下されたか否かを判別する。終了ボタンが押下されると、この処理を終了し、終了ボタンが押下されなければ、ステップＳ２７でカーソルキーが押下されたか否かを判別する。カーソルキーが操作されると、ステップＳ３１でカーソルキーに従うカーソル移動を実行し、カーソルキーが操作されなければ、ステップＳ１９に戻る。
【００４０】
ステップＳ１３の番組予約処理は、図１０のサブルーチンに従って実行される。ステップＳ４１では、ＨＤＤ３４に格納された予約テーブルＲＴを読み出す。これに従って、メモリコントローラ３６は、読み出された予約テーブルＲＴを予約テーブルエリア３８ｂに展開する。ステップＳ４３では、ステップＳ７で決定されたカーソルＣ上の番組つまり番組予約をＣＰＵ３０に形成されたレジスタ３０ｒに設定する。ステップＳ４５では、レジスタ３０ｒに設定された番組予約の時刻情報と予約済時間帯とが重複しているか否かを判別する。判別結果がＹＥＳであれば、ステップＳ４７で “該当の録画予約はできませんでした”とＴＶモニタに表示し、判断結果がＮＯであれば、ステップＳ４９でカーソルＣ上の番組を予約テーブルＲＴに登録する。こうして、所望の番組予約が完了する。
【００４１】
ステップＳ２９のセクション予約処理は、図１１および１２のサブルーチンに従って実行される。ステップＳ５１では、ＨＤＤ３４に格納された予約テーブルＲＴを予約テーブルエリア３８ｂに展開する。ステップＳ５３では、ステップＳ１９で決定されたカーソルＣ上のセクションは生放送番組の番組セクションであるか否かを判別する。収録済み番組の番組セクションであれば、ステップＳ５５でこの番組セクションの開始時刻および終了時刻をこの番組の時刻情報としてレジスタ３０ｒに設定し、ステップＳ５７に進む。ステップＳ５７では、レジスタ３０ｒに設定された時刻情報と予約済時間帯とが重複しているか否かを判別する。判断結果がＹＥＳであればステップＳ５９で“該当の録画予約はできませんでした”とＴＶモニタに表示し、判断結果がＮＯであればステップＳ６１でカーソルＣ上の番組セクションを予約テーブルＲＴに登録する。
【００４２】
一方、生放送番組の番組セクションであればステップＳ６３でこの番組セクションで予定された開始時間帯のうち一番早い時刻情報とこのセクションで予定された終了時間帯のうち一番遅い時刻情報とをレジスタ３０ｒに設定する。ステップＳ６５では、レジスタ３０ｒに設定された時刻情報と予約済時間帯とが重複しているか否かを判別する。判別結果がＮＯであればステップＳ７３に進み、判別結果がＹＥＳであればステップＳ６７でレジスタ３０ｒに設定された時間帯をこの番組セクションで予定された開始時間帯のうち一番遅い時刻情報とこの番組セクションで予定された終了時間帯のうち一番早い時刻情報とに修正する。これによって、予約すべき時刻情報がこのような放送予定時間帯の最小時間帯にまで短縮された時間帯に修正されることによって、生放送番組の番組セクションを視聴する可能性が向上する。
【００４３】
ステップＳ６９では、ステップＳ６５と同様の判断を行う。判断結果がＹＥＳであればステップＳ７１で“該当の
3録画予約はできませんでした”とＴＶモニタに表示し、判断結果がＮＯであればステップＳ７３でカーソルＣ上のセクションを予約テーブルＲＴに登録する。こうして、所望の番組セクションの予約が完了する。
【００４４】
なお、この実施例では、生放送番組の連続する番組セクションが録画された場合、連続する番組セクションの各々を編集することができる。具体的には、図８に示すような生放送番組で連続するセクション２および３が録画されると、図１３（Ａ）に示すように、予約操作時点で設定されたセクション２の終了時刻およびセクション３の開始時刻は、実際のセクション２の終了時刻およびセクション３の開始時刻と異なる。ＨＤＤなどの記録媒体に記録された後に、セクション２の終了時刻およびセクション３の開始時刻を区切り目（図１３（Ａ））に編集する編集操作が行われると、セクション２の開始時刻および終了時刻とセクション３の開始時刻および終了時刻は図１３（Ｂ）に示すように編集される。この結果、記録媒体に記録されたデータに変更を加えることなく、所望の番組セクションを適切な長さに変更することができる。
【００４５】
また、この実施例では、チューナ１４によってディジタル放送を受信する場合について説明しているが、これに限らず、アナログ受信機を使用し、アナログ放送を受信する場合も、この発明の目的を達成することができる。
【００４６】
さらに、この実施例では、セクションの視聴方法は、セクション予約操作に従うセクションを一旦ＨＤＤなどの記録媒体に記録させた後に、予約テーブルＲＴに登録されたセクションを再生して鑑賞する方法を説明している。これに限らず、予約テーブルＲＴに登録されたセクションの開始時刻になると、このセクションをＴＶモニタに表示させる処理を実行することも可能である。ここで、セクションの視聴方法について記述したが、番組の視聴方法についても同様の処理が実行される。
【図面の簡単な説明】
【００４７】
【図１】この発明の一実施例の構成を示すブロック図である。
【図２】コンテンツ記録再生装置の構成の一例を示すブロック図である。
【図３】ＤＲＡＭの構成の一例を示す図解図である。
【図４】モニタ動作の一部を示す図解図である。
【図５】モニタ動作の他の一部を示す図解図である。
【図６】モニタ動作のその他の一部を示す図解図である。
【図７】モニタ動作のさらにその他の一部を示す図解図である。
【図８】ＣＰＵ動作の一部を示すフロー図である。
【図９】ＣＰＵ動作の他の一部を示すフロー図である。
【図１０】ＣＰＵ動作のその他の一部を示すフロー図である。
【図１１】ＣＰＵ動作のさらにその他の一部を示すフロー図である。
【図１２】ＣＰＵ動作のまたさらにその他の一部を示すフロー図である。
【図１３】連続するセクションの編集動作の一部を示す図解図である。
【符号の説明】
【００４８】
１４  …  チューナ
２０  …  ＭＰＥＧデコーダ
２６  …  キャラクタジェネレータ
３０  …  ＣＰＵ
３４  …  ＨＤＤ
３８  …  ＤＲＡＭ
【図１】
2007129292.tif 000003
【図２】
2007129292.tif 000004
【図３】
2007129292.tif 000005
【図５】
2007129292.tif 000006
【図７】
2007129292.tif 000007
【図８】
2007129292.tif 000008
【図９】
2007129292.tif 000009
【図１０】
2007129292.tif 000010
【図１１】
2007129292.tif 000011
【図１２】
2007129292.tif 000012
【図１３】
2007129292.tif 000013
【図４】
2007129292.tif 000014
【図６】
2007129292.tif 000015